(57)【特許請求の範囲】
【請求項１】
板面に対して垂直な回転軸を中心として駆動モータによって回転する回転板と、前記回転板に設けられ、前記回転板の周方向へ形成された経路部と、
前記経路部を遊戯者がなぞるための手動なぞり手段と、
前記遊戯者の前記手動なぞり手段によるなぞり操作の適否を検出する検出手段と、
前記回転板が回転する回転軸を中心に、前記回転板が回転する速度より早い速度で回転し、前記遊戯者によって前記経路部内を移動する前記手動なぞり手段を追跡する追跡手段とを備えていることを特徴とする経路なぞりゲーム機。
【請求項２】
板面に対して垂直な回転軸を中心として駆動モータによって回転する回転板と、前記回転板に設けられ、前記回転板の周方向へ形成された経路部と、
前記経路部を遊戯者がなぞるための手動なぞり手段と、
前記遊戯者の前記手動なぞり手段によるなぞり操作の適否を検出する検出手段と、
前記回転板が回転する回転軸を中心に、前記回転板が回転する速度より早い速度で回転し、前記遊戯者によって前記経路部内を移動する前記手動なぞり手段を追跡する追跡手段とを備え、
前記経路部は、不規則に彎曲した彎曲内側壁と、該彎曲内側壁に平行な彎曲外側壁とにより経路が形成され、前記彎曲内側壁および前記彎曲外側壁は電気良導体によって構成さ
れており、
前記手動なぞり手段には、一定の電圧が印加され、
前記検出手段は、前記なぞり手段が前記彎曲内側壁または前記彎曲外側壁に接触したときに流れる電流を検出することを特徴とする経路なぞりゲーム機。
【請求項３】
前記経路部に、前記手動なぞり手段の通過を間欠的に阻止するなぞり阻止手段が設けられたことを特徴とする請求項１又は２記載の経路なぞりゲーム機。
【請求項４】
前記検出手段からの検出信号によって前記なぞり操作が不適正であることが検出された場合に、前記なぞり操作の失敗を表示するなぞり失敗表示手段を具備したことを特徴とする請求項１又は２記載の経路なぞりゲーム機。
【請求項５】
前記回転板は、前記駆動モータの回転速度の切換により周期的な、もしくは不規則な回転速度で回転するようになされていることを特徴とする請求項１又は２記載の経路なぞりゲーム機。
【発明の詳細な説明】
【０００１】
【発明の属する分野】
本出願に係る発明は、なぞり案内手段の経路部に沿って手動なぞり手段をなぞらせて楽しむゲーム機に関するものである。
【０００２】
【従来技術】
テレビ番組で放映されるゲーム機において、鉛直面に沿い水平方向へ不規則に弯曲した２本の導電線内に、プレーヤで握られた導電棒の先端部を挿込み、導電棒が２本の導電線に接触しないように、この２本の導電線に沿って導電棒を移動させる際に、その移動中に導電棒が２本の導電線のいずれかに接触した場合には、大音響と大閃光を発し、また導電棒が２本の導電線に接触せずに、２本の導電線間の経路入口から経路出口迄、導電棒を移動させることができた場合には、薬玉が破れ、ファンファーレが奏せられるゲーム装置があった（第３０３３４６０号登録実用新案公報参照）。
【０００３】
【解決しようとする課題】
前記登録実用新案のゲーム設備が大型であるので、このゲーム設備は、テレビ番組や、劇場の舞台等で、視聴者や観客には、大きな演出効果を与えることができるものの、場所を取り、ゲームセンターには収益的に設置困難であり、また２本の導電線の経路パターンを変えることが大掛りとなり、プレーヤが習熟すると、失敗が少なくなって、興趣が低下してしまう難点がある。
【０００４】
【課題を解決するための手段および効果】
本出願発明は、このような難点を克服した経路なぞりゲーム機の改良に係り、請求項１記載の発明は、板面に対して垂直な回転軸を中心として駆動モータによって回転する回転板と、前記回転板に設けられ、前記回転板の周方向へ形成された経路部と、前記経路部を遊戯者がなぞるための手動なぞり手段と、前記遊戯者の前記手動なぞり手段によるなぞり操作の適否を検出する検出手段と、前記回転板が回転する回転軸を中心に、前記回転板が回転する速度より早い速度で回転し、前記遊戯者によって前記経路部内を移動する前記手動なぞり手段を追跡する追跡手段とを備えていることを特徴とするものである。
【０００５】
請求項１記載の発明は、前記したように構成されているので、前記手動なぞり手段でもって前記回転板の経路部をなぞり、この経路なぞりが正確に行われた場合には、前記検出手段でもってこの経路なぞりが成功したことが検出される。
また、前記経路部のなぞりが正確に行われない場合には、前記検出手段でもってこのなぞりが失敗であることが検出される。
そして、経路部を有する回転板は回転するため、停止したものに比べて、経路部をなぞる際の軌跡は経路部の形状と異なり、そのなぞり操作が複雑化し、ゲーム性が高い。
さらに、経路部を有する手段が回転板であるため、静止したままゲームを行うことができる結果、ゲーム機を設置するスペースが狭くてもよく、しかも経路部の形状が異なる回転板を多数用意することにより、多種、多様のゲームを行うことができ、遊戯者にマンネリ感を与えることがない。
また、前記回転板が回転する回転軸を中心に、前記回転板が回転する速度より早い速度で回転し、遊戯者によって該経路部内を移動する前記手動なぞり手段を追跡する追跡手段が設けられるから、前記経路部に対する前記手動なぞり手段のなぞり操作に迅速性が要求され、ゲームに高い緊張感が与えられる。
【０００６】
請求項２記載の発明は、板面に対して垂直な回転軸を中心として駆動モータによって回転する回転板と、前記回転板に設けられ、前記回転板の周方向へ形成された経路部と、前記経路部を遊戯者がなぞるための手動なぞり手段と、前記遊戯者の前記なぞり手段によるなぞり操作の適否を検出する検出手段と、前記回転板が回転する回転軸を中心に、前記回転板が回転する速度より早い速度で回転し、前記遊戯者によって前記経路部内を移動する前記手動なぞり手段を追跡する追跡手段とを備え、前記経路部は、不規則に彎曲した彎曲内側壁と、該彎曲内側壁に平行な彎曲外側壁とにより経路が形成され、前記彎曲内側壁および前記彎曲外側壁は電気良導体によって構成されており、前記手動なぞり手段には、一定の電圧が印加され、前記検出手段は、前記なぞり手段が前記彎曲内側壁または前記彎曲外側壁に接触したときに流れる電流を検出することを特徴とする。
【０００７】
請求項２記載の発明は、前記したように構成されているので、上述の請求項１に記載の発明の効果に加えて、さらに、前記経路部は、不規則に彎曲した彎曲内側壁と、該彎曲内側壁に平行な彎曲外側壁とにより経路が形成され、前記彎曲内側壁および前記彎曲外側壁は電気良導体によって構成されており、前記手動なぞり手段には、一定の電圧が印加され、前記検出手段は、前記手動なぞり手段が前記彎曲内側壁または前記彎曲外側壁に接触したときに流れる電流を検出することを特徴とするものであるから、前記手動なぞり手段が経路部に接触しないことで、なぞり操作が成功したことが電気的に検出されることとなり、構造が簡単で動作が確実な経路なぞりゲーム機が得られる。
【０００９】
さらに、請求項３記載の発明は、前記経路部に、前記手動なぞり手段の通過を間欠的に阻止するなぞり阻止手段が設けられたことを特徴とするものである。
【００１０】
請求項３記載の発明のように発明を構成することにより、前記経路部中を前記手動なぞり手段でもってなぞらせている際に、前記なぞり阻止手段がなぞり可能となった瞬間に、前記手動なぞり手段を通過させるようにすることが必要となり、ゲームに緊張感を与えて、興趣を高めることができる。
【００１５】
また、請求項４記載の発明は、前記検出手段からの検出信号によって前記なぞり操作が不適正であることが検出された場合に、前記なぞり操作の失敗を表示するなぞり失敗表示手段を具備したことを特徴とするものである。
【００１６】
請求項４記載の発明のように発明を構成することにより、経路なぞり操作の成功、失敗を表示してプレーヤに成功の喜びまたは失敗の悔しさを与えることができる。
【００１７】
さらに、請求項５記載の発明は、前記回転板は、前記駆動モータの回転速度の切換えにより周期的な、もしくは不規則な回転速度で回転するようになされていることを特徴とするものである。
【００１８】
請求項５記載の発明のように発明を構成することにより、経路なぞり操作に困難性を与えて、興趣を盛上げることができる。
【００１９】
【発明の実施の形態】
以下、図１ないし図２２に図示された本出願発明の一実施形態について説明する。
【００２０】
まず、この経路なぞりゲーム機１は、図１に図示されるように、ゲーム機本体Ａと、設定部Ｂと、ビルボードＣと、これらゲーム機本体Ａ，設定部Ｂ，ビルボードＣを囲むゲームケースＤとよりなり、ゲーム機本体ＡおよびビルボードＣは後で詳細に説明されるように構成され、設定部Ｂはには、コイン投入口Ｂ1 と、セレクトレバーＢ2 とタイマーＢ3 と、スタート凹部Ｂ4 とよりなり、スタート凹部Ｂ4 にスティック０が挿入されるようになっている。
【００２１】
まずゲーム機本体Ａについて説明すると、図３ないし図５に図示されるように、ゲーム機本体Ａにおける基台２は床３上に設置され、該基台２の上部前後に、支持板４が鉛直に直立して固着され、この前後支持板４は４本の連結杆５と、その両端部に螺着されるナット６とでもって相互に一体に結合され、この前後支持板４に後で詳細に図示されるように、回転軸支ユニット７が取付けられている。
【００２２】
また回転軸支ユニット７の前端に固定円板ユニット８が一体に固着され、この固定円板ユニット８の外周に回転円板ユニット９が配置されて、固定円板ユニット８の後方に位置して回転円板ユニット９が回転軸支ユニット７の回転部分に一体に結合されている（この詳細構造は後で述べる）。
【００２３】
さらに、図２および図４に図示されるように、回転円板ユニット９の前方に位置し、該回転円板ユニット９の内周部分９ａの内側と、該回転円板ユニット９の外周部分９ｂの外側に跨って追跡ユニット10が設けられ、後で説明されるように、回転円板ユニット９よりも速い速度で回転されるようになっている。
【００２４】
次に図６および図７を参照して回転軸支ユニット７の詳細について説明すると、後方の支持板４ａに継手11を介して固定軸12の後端（図６では下端）が一体に固着され、該固定軸12の後部にベアリング13（図７参照）を介して後端蓋14が回転自在に嵌合され、前記固定軸12に回転スリーブ15が遊嵌されて、該回転スリーブ15の後端は結合片16を介して後端蓋14に一体に結合されている。
【００２５】
また回転スリーブ15の後部に円板ドリブンギヤ17がキー18を介して一体に嵌合され、該円板ドリブンギヤ17は円板駆動モータ19の円板ドライブギヤ20に噛合され、該円板駆動モータ19の回転軸（図示されず）と円板ドライブギヤ20とにトルクリミッター21が介装されており、円板駆動モータ19が稼動状態となると、トルクリミッター21，円板ドライブギヤ20および円板ドリブンギヤ17を介して回転スリーブ15に回転トルクが伝達されて、該回転スリーブ15が回転駆動され、回転スリーブ15に大きな回転抵抗力が作用した場合には、トルクリミッター21に滑りが生じ、円板駆動モータ19が空転し、回転スリーブ15は停止しうるようになっている。
【００２６】
さらに回転スリーブ15の中央部分の外周にベアリング22を介して枢支リング23が回転可能に嵌合され、該枢支リング23は前方の支持板４ａに嵌着されており、固定軸12および回転スリーブ15は、後方の支持板４ａと前方の支持板４ｂにその中心軸が傾かないように支持されている。
【００２７】
さらにまた前記枢支リング23より前方に位置して、ベアリング24を介して回転リング25が回転スリーブ15に嵌合され、該回転リング25に追跡ユニットドリブンギヤ26が一体に嵌着され、該追跡ユニットドリブンギヤ26に噛合う追跡ユニットドライブギヤ27はシャフト28を介して前後の支持板４ａ，４ｂに回転自在に枢支され、該シャフト28はトルクリミッター29を介して追跡ユニット駆動モータ30の回転軸（図示されず）に連結されており、追跡ユニット駆動モータ30が稼動状態となると、トルクリミッター29，シャフト28，追跡ユニットドライブギヤ27および追跡ユニットドリブンギヤ26を介して回転リング25に回転トルクが伝達されて、該回転リング25が回転駆動され、回転リング25に大きな回転抵抗力が作用した場合には、トルクリミッター29に滑りが生じ、追跡ユニット駆動モータ30が空転し、回転リング25すなわち追跡ユニット10は停止しうるようになっている。
【００２８】
しかも回転リング25に追跡ユニット駆動円板31がキー32を介して一体に嵌合され、該追跡ユニット駆動円板31に連結板33が一体に結合され、該連結板33の外端（図５で左端）には、前方へ向って突出片34が一体に突設されている。
【００２９】
また追跡ユニット10は、図１１ないし図１４に図示されるように、扇形状の表面板35と、該表面板35の内縁に後方へ直角に起立をした内周板36と、該表面板35の外縁に後方へ直角に起立した外周板37と、該内周板36の後端に軸38を介して枢着された受けローラ39とよりなり、図５に図示されるように、表面板35は回転円板ユニット９の前面を覆い、内周板36は回転円板ユニット９の内周部分９ａの内方に隣接し、外周板37は回転円板ユニット９の外周部分９ｂの外方に隣接し、図１１および図１４に図示される外周板37の切抜き37ａに図５に図示される突出片34の先端鉤部34ａが係合されており、回転リング25が回転駆動されると、追跡ユニット駆動円板31，連結板33を介して追跡ユニット10が回転駆動されるようになっている。
【００３０】
さらに回転スリーブ15の前端に前端蓋40が一体に固着されるとともに、該前端蓋40はベアリング41を介して固定軸12に回転自在に枢支され、前記前端蓋40に駆動円板42がビス43によって一体に取付けられ、該駆動円板42にボルトナット44によってドライブギヤ45および延長部材46が一体に結合され、該延長部材46の外端にボルトナット47を介して前後連結片48の後端折曲部48ａが一体に結合され、該前後連結片48の前端折曲部48ｂにボルトナット49を介して回転円板ユニット９の回転円板本体50の前面部50ａが一体に結合されており、回転スリーブ15が回転駆動されると、前端蓋40，駆動円板42，延長部材46および前後連結片48を介して固定円板ユニット８の回転円板本体50が回転駆動されるようになっている。
【００３１】
回転円板ユニット９の回転円板本体50は、正面から見て、固定円板ユニット８の固定円板本体80の外周縁に対して間隙を存して遊嵌しうるように、中心部が欠除された環状に形成され、図４にて、回転円板ユニット９の外周部９ｂに相当する回転円板本体50の外周部50ｂは円筒状に形成され、その端縁部50ｃは直角外方に折返されている。
【００３２】
また回転円板本体50には、図１および図２に図示されるように、回転経路部51を構成するための弯曲内側壁52とこれと平行の弯曲外側壁53とが形成され、回転経路部51のスタート部51ａは周方向へ円弧状に形成され、回転経路部51の出口部51ｂは回転円板本体50の中心に指向した直線状に形成され、回転経路部51の途中に、なぞり阻止手段たる鋸歯状揺動阻止片54と、経路開閉片55と、切欠き回転片56とが設けられている。
【００３３】
さらに図９に図示されるように、揺動阻止片54は、回転円板本体50に揺動自在に枢着されるとともに、回転円板57が回転円板本体50に回転自在に枢着され、該揺動阻止片54と回転円板57とに連結杆58の両端が枢着され、前記回転円板57にドリブンプーリ59が一体に取付けられ、回転円板57，ドリブンプーリ59に隣接して回転円板本体50に、アイドラドライブプーリ60が枢着され、該アイドラドライブプーリ60とドリブンプーリ59とに無端ベルト61が架渡されており、アイドラドライブプーリ60が回転すると、揺動阻止片54が約９０°の範囲を往復揺動されるようになっている。
【００３４】
さらにまた図１０に図示されるように、経路開閉片55には、ガイド溝55ａ，55ｂが形成され、回転円板本体50から前方へ突設されたガイドピン63，64に該ガイド溝55ａ，55ｂが嵌合され、経路開閉片55より外周側に位置して回転円板本体50に回転円板65，ドリブンプーリ66が枢着され、該回転円板65と経路開閉片55とに連結杆67の両端が枢着され、回転円板65と一体のドリブンプーリ66とアイドラドライブプーリ60とに無端ベルト68が架渡されており、アイドラドライブプーリ60が回転すると、経路開閉片55の先端部55ｃは回転経路部51に進退し、経路開閉片55の弯曲切欠部55ｄは回転経路部51の折曲部を塞ぎまたは開くように、往復動されるようになっている。
【００３５】
しかも図８に図示されるように、切欠き回転片56は回転経路部51に位置して回転円板本体50に回転自在に枢着され、切欠き回転片56と一体のドリブンプーリ69と、切欠き回転片56に隣接して回転円板本体50に回転自在に枢着されたアイドラドライブプーリ70とに無端ベルト71が架渡されており、アイドラドライブプーリ70が回転すると、切欠き回転片56が回転駆動されるようになっている。
【００３６】
そして揺動阻止片54，経路開閉片55および切欠き回転片56の駆動部材たるドライブプーリ72は、図６および図７に図示されるように、回転リング25と一体の追跡ユニット駆動円板31にスペーサ73を介して重ねられ、ドライブプーリ72，スペーサ73および追跡ユニット駆動円板31を貫通するボルト74にナット75が螺着されて、追跡ユニット駆動円板31にドライブプーリ72が一体に結合され、このドライブプーリ72と、アイドラドライブプーリ60と一体のアイドラドリブンプーリ76とに無端ベルト77が架渡されるとともに、ドライブプーリ72と、アイドラドライブプーリ70と一体のアイドラドリブンプーリ78とに無端ベルト79が架渡されており、追跡ユニット駆動モータ30によって追跡ユニット駆動円板31が回転すると、アイドラドリブンプーリ76，78が回転駆動され、さらに揺動阻止片54，経路開閉片55，切欠き回転片56が駆動されるようになっている。
【００３７】
また図６に図示されるように、回転円板本体50の中心欠除部に位置する固定円板ユニット８の固定円板本体80の中心円板状部80ａの外周縁に、前方へ向って突出した内側円筒状部80ｂが形成され、該内側円筒状部80ｂの先端縁に内側環状部80ｃが形成され、該内側環状部80ｃの外周縁に後方へ向って後退した外側円筒状部80ｄが形成され、該外側円筒状部80ｄの後端縁に外側環状部80ｅが形成されており、固定円板本体80の中心円板状部80ａは、ビス81でもって円板82に固着され、該円板82は、該円板82と連結片83と基板84とを貫通して螺着されるビス85でもって基板84に固定され、該基板84の中心部84ａは固定軸12の先端に一体に嵌着されており、前記固定円板本体80は固定軸12の先端にて固定して支持されるようになっている。
【００３８】
さらに図６および図７に図示されるように、固定円板本体80の内側円筒状部80ｂと外側円筒状部80ｄとで挟まれる環状経路部86の巾方向中心に位置し、周方向へ一定間隔毎に回転軸87が円板82にベアリング88を介して回転自在に枢支され、このベアリング88の前後端に、切欠き回転片89（図１参照）およびドリブンギヤ90がそれぞれ一体に嵌着され、該ドリブンギヤ90は回転スリーブ15と一体に回転する前記ドライブギヤ45に噛合されており、回転スリーブ15の回転に伴ない、ドリブンギヤ90，回転軸87および切欠き回転片89が回転駆動されるようになっている。
【００３９】
しかして回転経路部51，環状経路部86の側壁部を構成する弯曲内側壁52，弯曲外側壁53，固定円板本体80のみならずこれらに結合されているゲーム機本体Ａの全部品は金属製であるので、電気良導体であり、後端蓋14の外周面にアース用ブラシ91（図７参照）が押圧接触されているので、或る一定で電圧に印加されたスティック０が回転経路部51の弯曲内側壁52，弯曲外側壁53や揺動阻止片54，経路開閉片55および切欠き回転片56や、環状経路部86の固定円板本体80や切欠き回転片89に触れると、スティック０およびゲーム機本体Ａに電気が流れ、図示されない電流計等で回転経路部51，環状経路部86へのスティック０の接触が検出され、ビルボードＣにその検出信号が送信されるようになっている。
【００４０】
また回転円板本体50の外周を覆う回転円板カバー92は、基台２の前面に当てがわれ、図３に図示されるように、これら回転円板カバー92および基台２の前方板２ａを貫通するボルト93と、これに螺着されるナット（図示されず）とでもって、回転円板カバー92は基台２に一体に取付けられている。
【００４１】
なおセレクトバーＢ2 を初級のほうに設定すると、円板駆動モータ19は正転され、回転円板本体50は図１にて、反時計方向へ回転駆動されるとともに、追跡ユニット駆動モータ30により追跡ユニット10は時計方向へ低速で回転駆動され、セレクトバーＢ2 を上級の方に設定すると、円板駆動モータ19は逆転されて、回転円板本体50は時計方向へ回転駆動されるとともに、追跡ユニット10は時計方向へ高速で回転駆動されるようになっている。
そしてセレクトレバーＢ2 を上級に設定した場合に、回転円板本体50の回転速度を高速に回転させるだけでなく、その回転速度を周期的にまたは不規則に変化させるようにしてもよい。
【００４２】
次にビルボールドＣの構造について説明する。
【００４３】
図１５ないし図２２に図示されるように、ビルボードケース101 は横長扁平状の直方体形状をなしており、その前面に、鉛直方向に向いた不透明なプラスティック製昇降パネル102 ，103 と、透明なプラスティック製固定パネル104 が奥に向って順次重ねられ、昇降パネル102 ，103 はビルボードケース101 の手前側両側に設けられた昇降ガイド機構105 に沿って上下に昇降されるようになっている。
【００４４】
昇降ガイド機構105 は、図１７に図示されるように、昇降パネル102 ，103 の上下巾の半分よりやや長い長さの横断面形状が直角のアングル状基板106 と、このアングル状基板106 の前面に背中合せに一体に固定された横断面形状がコ字状のチャンネル状固定レール107 と、このチャンネル状固定レール107 の両側片107 ａの内面に一体に固着されたナイロン製滑走材108 と、この両滑走材108 の間に遊嵌されるチャンネル状中継レール109 と、該チャンネル状中継レール109 の後面に一体に固着されたナイロン製滑走材110 と、前記チャンネル状中継レール109 の前面に添設されるモナカ状移動レール111 とよりなっている。
【００４５】
また、チャンネル状固定レール107 の両側片107 ａと滑走材108 とにガイド溝107 ｂ，108 ａが形成され、チャンネル状中継レール109 の中央片109 ａには、滑走材110 の突出部110 ａが嵌合しうる溝109 ｂが形成され、滑走材110 にはガイド溝110 ｂが形成され、チャンネル状固定レール107 のガイド溝107 ｂと滑走材108 のガイド溝108 ａとに挿入されてチャンネル状中継レール109 の両側片109 ｃにガイドピン112 とストッパーピン113 が螺着され、滑走材110 のガイド溝110 ｂに挿入されてモナカ状移動レール111 にガイドピン114 が螺着され、該モナカ状移動レール111 に昇降パネル102 ，103 の後面両側部がビス115 で取付けられており、下降した状態の昇降パネル102 ，103 がモナカ状移動レール111 と共に昇降パネル102 ，103 の上下巾の略半分だけ上方へ持上げられると、ガイドピン114 が滑走材110 のガイド溝110 ｂの上端に当接し、さらに昇降パネル102 ，103 が持上げられると、モナカ状移動レール111 と滑走材110 とが一体となって上昇し、ガイドピン112 がチャンネル状固定レール107 のガイド溝107 ｂおよび滑走材108 のガイド溝108 ａの上端に当接し、昇降パネル102 ，103 はその上下巾分だけ上方へ持上げられるようになっている。
【００４６】
さらに手前側の昇降パネル102 の両側部に設けられたチャンネル状中継レール109 の外側面に螺着されるガイドピン112 に、係止片116 が取付けられ、該係止片116 は後方へ延長して、昇降パネル103 のチャンネル状中継レール109 に螺着されたガイドピン112 に係止しうるようになっている。そして係止片116 は昇降パネル102 の上限位置と下限位置を検出するパネル上昇検出スイッチ117 ，パネル下降検出スイッチ118 に接近しうるように、ビルボードケース101 にパネル上昇検出スイッチ117 ，パネル下降検出スイッチ118 が取付けられている。
【００４７】
さらにまた手前側の昇降パネル102 の両側端部上方に位置してビルボードケース101 にアイドラプーリ119 が枢着され、ビルボードケース101 の上方後部に巻取りシャフト120 が枢支され、該巻取りシャフト120 の両端に巻取りプーリ121 が一体に嵌着され、該巻取りプーリ121 にワイヤ122 の一端が結着され、該ワイヤ122 はアイドラプーリ119 に巻付けられて、該ワイヤ122 の他端は、手前側の昇降パネル102 の両側端部のモナカ状移動レール111 の下端に螺着されたピン（図示されず）に結着されており、ワイヤ122 が巻取りプーリ121 に巻付けられると、手前側の昇降パネル102 は上昇し、ワイヤ122 が巻取りプーリ121 から巻戻されると、手前側の昇降パネル102 は下降するようになっている。
【００４８】
また図２１に図示されるように、巻取りシャフト120 は、右側部で２分割されて、該左方巻取りシャフト120 ａと右方巻取りシャフト120 ｂとは継手123 でもって相互に一体に結合され、該右方巻取りシャフト120 ｂに横断面形状が正６角形の動力伝達部材124 が一体に嵌着され、該動力伝達部材124 にドッグクラッチ従動部片125 が軸方向へ摺動自在に嵌装され、該ドッグクラッチ従動部片125 にドッグピン126 が一体に嵌着され、動力伝達部材124 の右方に位置してドッグクラッチ駆動部片127 が自由に回転できるように右方巻取りシャフト120 ｂに嵌合され、該ドッグクラッチ駆動部片127 には周方向に６個所一定間隔毎にドッグピン126 に嵌合しうる係合孔128 が形成されるとともに、該ドッグクラッチ駆動部片127 にドリブンプーリ129 が一体に結合され、パネル巻上げモータ130 の回転軸と一体のドライブプーリ131 とドリブンプーリ129 とにベルト132 が架渡されており、パネル巻上げモータ130 が稼動状態になると、ドライブプーリ131 ，ベルト132 およびドリブンプーリ129 を介してドッグクラッチ駆動部片127 が回転駆動されるようになっている。
【００４９】
さらに図２０および図２１に図示されるように、継手123 の下方に位置して、ビルボードケース101 にクラッチ駆動ソレノイド133 が取付けられ、該クラッチ駆動ソレノイド133 のソレノイド可動片134 の先端は２叉に形成され、該ソレノイド可動片134 の先端切欠き部に係合片135 の下端が挿入されて、両者は、連結ピン136 によって結合され、該係合片135 の上部135 ａは２叉に形成されて、ドッグクラッチ従動部片125 の切欠き部125 ａに係合されており、クラッチ駆動ソレノイド133 が動作すると、係合片135 およびドッグクラッチ従動部片125 が左方へ移動されて、ドッグピン126 がドッグクラッチ駆動部片127 の係合孔128 より外れ、ドッグクラッチ従動部片125 とドッグクラッチ駆動部片127 との結合が断たれ、パネル巻上げモータ130 のトルクが巻取りシャフト120 には伝達されないようになっている。
【００５０】
さらにまた奥側の昇降パネル103 の左右両端に取付けられているモナカ状移動レール111 の上端に係止ピン137 が固着され、上昇に位置した昇降パネル103 の係止ピン137 に隣接してビルボードケース101 に、ラッチ138 が前後に揺動自在に枢着され、該ラッチ138 の上端に連結片139 の前端が枢着され、前記ラッチ138 の後方に位置して左右方向に指向したラッチ伝達シャフト140 がビルボードケース101 に回転自在に枢着され、このラッチ伝達シャフト140 の左端にはＬ字状ラッチ駆動片141 の折曲部が枢着され、該ラッチ駆動片141 の一端にラッチ駆動ソレノイド142 の可動片142 ａが枢支され、該ラッチ駆動片141 の他端が連結片139 の後端に枢着され、ラッチ伝達シャフト140 の右端にはラッチ駆動レバー143 の基端が一体に嵌着され、該ラッチ駆動レバー143 の先端に前記連結片139 の後端が枢着されており、ラッチ駆動ソレノイド142 がオンしてラッチ駆動ソレノイド142 の可動片148 ａが吸引されると、ラッチ138 の先端爪部138 ａが昇降パネル103 の係止ピン137 より外れ、昇降パネル103 が下降しうるようになっている。
【００５１】
しかもビルボードケース101 の奥側の壁の前面に照明ランプ144 が設けられている。
【００５２】
図１ないし図２２に図示の実施形態は、前記したように構成されているので、設定部Ｂにて、セレクトレバーＢ2 を例えば初級に設定した後、コイン投入口Ｂ1 にコインを投入し、プレーヤはスティック０を持ってスタート凹部Ｂ4 に挿入すると、タイマーＢ3 がスタートするとともに、回転円板ユニット９の回転円板本体50は反時計方向へゆっくりと回転を始めると同時に追跡ユニット10は時計方向へ低速で回転を始める。
【００５３】
プレーヤはスタート凹部Ｂ4 に挿入されたスティック０を回転円板ユニット９の回転経路部51のスタート部51ａに移動させ、回転円板ユニット９の回転円板本体50の回転に逆って回転経路部51内を時計方向へ移動させる。
【００５４】
追跡ユニット10は図１の位置から時計方向へ回転し、回転経路部51内のスティック０を追跡するが、この追跡ユニット10の追跡に追付かれないように、回転経路部51の弯曲内側壁52，弯曲外側壁53にスティック０が接触しないように、できるだけ早く移動させ、揺動阻止片54，経路開閉片55，切欠き回転片56の設置個所で、これらの動きにタイミングを合せてスティック０を通過させ、追跡ユニット10が接近する前迄に、回転経路部51の出口部51ｂにスティック０を移動させれば、回転経路部51のなぞり操作は成功する。
【００５５】
さらに環状経路部86の入口部86ａにスティック０を移動させ、切欠き回転片89の回転に合せてスティック０を回転させ、切欠き回転片89を無事通過させることができれば、環状経路部86のゴール部86ｂにスティック０を移動させることができ、ビルボードＣにプレー成功が表示される。
【００５６】
しかし、スティック０を回転経路部51のスタート部51ａから環状経路部86のゴール部86ｂに移動させる間に、スティック０が回転経路部51の弯曲内側壁52，弯曲外側壁53や、揺動阻止片54，経路開閉片55，切欠き回転片56や、環状経路部86の切欠き回転片89に接触し、または、追跡ユニット10が追付いて、スティック０が追跡ユニット10に接触した場合には、ゲームが中断され、ビルボードＣにゲームが終了したことが表示される。
【００５７】
またセレクトレバーＢ2 を上級に設定してプレーを開始した場合は、初級のようにスティック０を時計方向へ移動させなくても、回転経路部51内を進行させることができることとは異なって、回転円板ユニット９の回転円板本体50の回転速度よりも速くスティック０を移動させないと、回転経路部51内を進行させることができず、また追跡ユニット10も初級の場合と異って速く回転するため、スティック０の移動がぐずぐずしていると、追付かれてしまい、スティック０の移動に熟練を必要とし、面白味が増える。
【００５８】
さらに回転経路部51が回転するために、経路部が固定したものに比べて、スティック０の操作技術が複雑化して興趣が盛上がる。
【００５９】
さらにまた回転経路部51および環状経路部86は鉛直面に沿っているため、視線を水平に向けたまま楽な姿勢でプレーを行うことができ、長時間、反復してプレーしても労れない。
【００６０】
しかも回転円板本体50に回転経路部51が形成されているため、回転円板本体50の上下左右の寸法に比べて回転経路部51の長さが長くなり、経路なぞりゲーム機１の設置面積が狭くなって採算性が良い。
【００６１】
また回転経路部51の形状の異なる回転円板ユニット９を交換することにより、プレーに変化を与え、プレーヤを飽きさせない。
【００６２】
さらに回転円板ユニット９の交換の際には、回転円板カバー92を外し、延長部材46と回転円板本体50とを連結する前後連結片48の前後いずれか一方のボルトナット47，前後連結片48を外すだけで、足りるため、回転円板ユニット９の交換を容易に短時間内に行うことができる。
【００６３】
さらにまた回転経路部51に揺動阻止片54，経路開閉片55および切欠き回転片56が設けられ、固定円板本体80に６個の切欠き回転片89が設けられているため、回転経路部51および固定円板本体80におけるスティック０のなぞり操作に変化が与えられ、プレーヤの興味がより強く掻き立てられる。
【００６４】
また回転円板ユニット９および追跡ユニット10の駆動系にトルクリミッター21，トルクリミッター29がそれぞれ設けられているため、プレーヤに危害を及ぼす阻れがなく、しかもこれらの駆動系が損害することが避けられる。
【００６５】
さらに追跡ユニット10の内周板36に軸38を介して受けローラ39が枢着され、該受けローラ39が固定円板本体80の外側環状部80ｅと延長部材46との間に配置されているため、追跡ユニット10の内周板36は前後に振れることなく、安定した状態で固定軸12を中心に回転することができる。
【００６６】
そしてゲーム開始時では、ビルボードＣにおける昇降パネル102 ，103 は、上限に位置しており、ゲーム機本体Ａのなぞり操作中に、スティック０が回転経路部51の弯曲内側壁52，弯曲外側壁53等に接触してなぞり操作が失敗すると、クラッチ駆動ソレノイド133 が動作して、パネル巻上げモータ130 と巻取りシャフト120 との連結が断されるとともに、ラッチ駆動ソレノイド142 が動作して、ラッチ138 の先端爪部138 ａが昇降パネル102 の係止ピン137 より外れ、ゲームタイトルが画かれた該昇降パネル102 のみが重力でもって勢い良く落下し、昇降パネル102 の後方の昇降パネル103 が前面に現われて、該昇降パネル103 に画かれたゲームオーバーという文字が見て、ゲームが終了したことが表示される。この場合、昇降パネル102 が急下降して大きな衝撃音が発生するため、ゲームに失敗したことを強く感じることができる。
【００６７】
またスティック０による回転経路部51や環状経路部86のなぞり操作が成功して、該環状経路部86のゴール部86ｂに達した場合には、ラッチ駆動ソレノイド142 が動作してラッチ138 の先端爪部138 ａが昇降パネル102 の係止ピン137 より外れ、パネル巻上げモータ130 が逆転動作して、巻取りプーリ121 がゆっくりと巻戻され、上限に位置した昇降パネル102 と昇降パネル103 とは一体となって、ゆっくりと下降し、固定パネル104 に画かれたコングラチュレーションとゲーム成功の文字が表示されるとともに、ファンファーレが鳴響き、プレーヤは成功感を持つことができる。
【００６８】
前記した実施形態では、スティック０がゲーム機本体Ａの導電部に接触した際に、直流電流の流れを直接検出するようにしたが、スティック０に電磁石等の磁気発生手段を設け、回転経路部51，環状経路部86に非接触式磁気センサーを設け、スティック０が回転経路部51，環状経路部86の各部材に接近して、スティック０の磁気発生手段から発生せられる磁気をこのセンサーで検出してマイクロプロセッサーになぞり操作の失敗を入力させるようにしてもよい。
【００６９】
また回転経路部51においては、平行な弯曲内側壁52，弯曲外側壁53で経路部を構成したが、１枚の弯曲帯状体で経路部を構成し、スティック０の先端にこの弯曲帯状体を跨くように２叉状に形成し、この弯曲帯状体にスティック０の先端２叉部を跨らせ、弯曲帯状体に接触しないように、経路部をなぞらせるようにしてもよい。
【００７０】
さらに回転円板本体５０を長円、その他の形状に形成してもよい。
【００７１】
さらにまた、回転円板本体50は鉛直面でなく水平面または傾斜面に沿わせて回転させるようにしてもよい。
【００７２】
そしてスティック０を手動でなく遠隔操作によって動くようにしてもよい。
【００７３】
しかも追跡ユニット10を定速度でなく、周期的または不規則に回転させてもよい。
【００７４】
また請求項１０記載のように、経路部のゴール側からスタート側に向って追跡手段と同じような構造の妨害手段を移動させ、手動なぞり手段を経路部のスタート側からなぞらせた際に、経路部のどの位置で妨害手段に衝突させたかを検出し、そのなぞり距離を競うようにしてもよい。
【図面の簡単な説明】
【図１】本出願に係る経路なぞりゲーム機の全体斜視図である。
【図２】その回転円板ユニットおよび追跡ユニットの正面図である。
【図３】図２の背面図である。
【図４】図２の側面図である。
【図５】図２の平面図である。
【図６】ゲーム機本体の回転軸支ユニットの平面図である。
【図７】図６の要部縦断面図である。
【図８】回転経路部の切抜き回転片の平面図である。
【図９】回転経路部の揺動阻止片の平面図である。
【図１０】回転経路部の経路開閉片の平面図である。
【図１１】追跡ユニットの斜視図である。
【図１２】その裏面図の斜視図である。
【図１３】図１２のＸIV矢視図である。
【図１４】図１２のＸIV矢視図である。
【図１５】ビルボードの正面図である。
【図１６】ビルボードの平面図である。
【図１７】図１５のＸVII −ＸVII に沿って裁断した要部横断平面図である。
【図１８】図１７の要部拡大斜視図である。
【図１９】図１６のＸIX−ＸIX矢視図である。
【図２０】図１９のＸＸ−ＸＸ矢視図である。
【図２１】図１９のＸＸＩ−ＸＸＩ線に沿って裁断した横断面図である。
【図２２】図１６のＸＸII−ＸＸII矢視図である。
【符号の説明】
Ａ…ゲーム機本体、Ｂ…設定部、Ｃ…ビルボード、Ｄ…ゲームケース、０…スティック、１…経路なぞりゲーム機、２…基台、３…床、４…支持板、５…連結杆、６…ナット、７…回転軸支ユニット、８…固定円板ユニット、９…回転円板ユニット、10…追跡ユニット、11…継手、12…固定軸、13…ベアリング、14…後端蓋、15…回転スリーブ、16…結合片、17…円板ドリブンギヤ、18…キー、19…円板駆動モータ、20…円板ドライブギヤ、21…トルクリミッター、22…ベアリング、23…枢支リング、24…ベアリング、25…回転リング、26…追跡ユニットドリブンギヤ、27…追跡ユニットドライブギヤ、28…シャフト、29…トルクリミッター、30…追跡ユニット駆動モータ、31…追跡ユニット駆動円板、32…キー、33…連結板、34…突出片、35…表面板、36…内周板、37…外周板、38…軸、39…受けローラ、40…前端蓋、41…ベアリング、42…駆動円板、43…ビス、44…ボルトナット、45…ドライブギヤ、46…延長部材、47…ボルトナット、48…前後連結片、49…ボルトナット、50…回転円板本体、51…回転経路部、52…弯曲内側壁、53…弯曲外側壁、54…揺動阻止片、55…経路開閉片、56…切欠き回転片、57…回転円板、58…連結杆、59…ドリブンプーリ、60…アイドラドライブプーリ、61…無端ベルト、62…アイドラドリブンプーリ、63，64…ガイドピン、65…回転円板、66…ドリブンプーリ、67…連結杆、68…無端ベルト、69…ドリブンプーリ、70…アイドラドライブプーリ、71…無端ベルト、72…ドライブプーリ、73…スペーサ、74…ボルト、75…ナット、76…アイドラドリブンプーリ、77…無端ベルト、78…アイドラドリブンプーリ、79…無端ベルト、80…固定円板本体、81…ビス、82…円板、83…連結片、84…基板、85…ビス、86…環状経路部、87…回転軸、88…ベアリング、89…切欠き回転片、90…ドリブンギヤ、91…アース用ブラシ、92…回転円板カバー、93…ボルト、94…ナット、101 …ビルボードケース、102 ，103 …昇降パネル、104 …固定パネル、105 …昇降ガイド機構、106 …アングル状基板、107 …チャンネル状固定レール、108 …滑走材、109 …チャンネル状中継レール、110 …滑走材、111 …モナカ状移動レール、112 …ガイドピン、113 …ストッパーピン、114 …ガイドピン、115 …ビス、116 …係止片、117 …パネル上昇検出スイッチ、118 …パネル下降検出スイッチ、119 …アイドラプーリ、120 …巻取りシャフト、121 …巻取りプーリ、122 …ワイヤ、123 …継手、124 …動力伝達部材、125 …ドッグクラッチ従動部片、126 …ドッグピン、127 …ドッグクラッチ駆動部片、128 …係合孔、129 …ドリブンプーリ、130 …パネル巻上げモータ、131 …ドライブプーリ、132 …ベルト、133 …クラッチ駆動ソレノイド、１34…ソレノイド可動片、135 …係合片、136 …連結ピン、137 …係止ピン、138 …ラッチ、139 …連結片、140 …ラッチ伝達シャフト、141 …ラッチ駆動片、142 …ラッチ駆動ソレノイド、143 …ラッチ駆動レバー、144 …照明ランプ。
【図１】
0003741179.tif 000002
【図２】
0003741179.tif 000003
【図３】
0003741179.tif 000004
【図４】
0003741179.tif 000005
【図５】
0003741179.tif 000006
【図６】
0003741179.tif 000007
【図７】
0003741179.tif 000008
【図８】
0003741179.tif 000009
【図９】
0003741179.tif 000010
【図１０】
0003741179.tif 000011
【図１１】
0003741179.tif 000012
【図１２】
0003741179.tif 000013
【図１３】
0003741179.tif 000014
【図１４】
0003741179.tif 000015
【図１５】
0003741179.tif 000016
【図１６】
0003741179.tif 000017
【図１７】
0003741179.tif 000018
【図１８】
0003741179.tif 000019
【図１９】
0003741179.tif 000020
【図２０】
0003741179.tif 000021
【図２１】
0003741179.tif 000022
【図２２】
0003741179.tif 000023